(57)【要約】      （修正有）【課題】製造が容易で、安価な健康シートの製造方法及び健康シートを提供する。【解決手段】フェノール樹脂を除いた炭化水素を主要構成成分とする人工高分子化合物あるいはフェノール樹脂を除いた炭化水素を主要成分とする有機固形廃棄物の無酸素乾留熱分解物である一次の炭化物、あるいは当該炭化物を賦活化処理した二次の活性炭のうち少なくとも一種もしくはこれらの混合物と、シリコンゴムとを混練する工程と、成形型に入れて加圧する工程と、１８０℃〜２００℃にて５分間の１次加熱する工程と、１８０℃にて３〜４時間の２次加熱する工程と、成形型から取り出し裁断する工程とからなる。【選択図】図１
2010187778.tif 000002
【特許請求の範囲】
【請求項１】
フェノール樹脂を除いた炭化水素を主要構成成分とする人工高分子化合物あるいはフェノール樹脂を除いた炭化水素を主要成分とする有機固形廃棄物の無酸素乾留熱分解物である一次の炭化物と、
前記一次の炭化物を更に賦活化処理して得られる二次の活性炭とのうち少なくとも一種からなる炭化物、活性炭又は炭化物と活性炭の混合物２０〜６０重量％を、シリコンゴム４０〜８０重量％に混ぜて練り合わせる工程と、
成形型に入れて加圧する工程と、
１８０℃〜２００℃にて５分間の１次加熱する工程と、
１８０℃にて３〜４時間の２次加熱する工程と、
成形型から取り出し裁断する工程とからなることを特徴とするシリコンゴムシートの製造方法。
【請求項２】
請求項１の方法により製造したシリコンゴムシートを用いた健康シート。
【発明の詳細な説明】
【技術分野】
【０００１】
本発明はマイナスイオン効果及び遠赤外線効果を有する活性炭化物を用いた健康シートに関する。
【背景技術】
【０００２】
近年、地球温暖化、環境汚染や食の安全性等の問題により、社会における健康志向が一層高まる状況の中、自然界において森林の中や滝壷の近傍の空中にはマイナスイオンが多く、これが健康に良いと言われている。
【０００３】
ところで、木炭、竹炭等の活性炭においてマイナスイオン発生作用と共に遠赤外線発生作用があるとされ、その活用に注目が集まっている。即ち、マイナスイオンは、生体の細胞を活性化し自律神経や内分泌機能を調整して人体の精神安定、免疫力向上、疲労軽減などの所謂マイナスイオン効果を奏すると言われている。同様に、遠赤外線が人体の皮下深層の温度の上昇や、微細血管の拡張、血行促進、新陳代謝の強化などの所謂遠赤外線効果を奏すると言われている。
【０００４】
これらのマイナスイオン効果や遠赤外線効果を有する活性炭を使用した繊維等を使用して製造された衣料や寝装具又は、サポータ、マスク等と言った健康具に関する提案がされている（例えば特許文献１、２参照）。
【先行技術文献】
【特許文献】
【０００５】
【特許文献１】特開２００１−９０４９号公報
【特許文献２】特開２００５−２４５８５１号公報
【発明の概要】
【発明が解決しようとする課題】
【０００６】
上記した特許文献１に記載されている発明は、サマリウム−鉄−窒素の異方性磁性粉末と合成ゴム又は熱可塑性樹脂を混入し加熱軟化させ、成形機で成形した磁石を使用するものである。柔軟性があり磁界配向により高磁力・高特性を発揮させることができ、人体又は衣類・装身具・寝具・靴製品に装着することで磁気治療器となる。しかし、このサマリウム鉄系ボンド磁石は装着時に、折れ易いために皮膚と接する際の違和感を防ぐために熱可塑性樹脂エラストマーにて被覆する必要があり、製造に工数が多くかかり、そのために高価なものとなっていた。
【０００７】
特許文献２に記載されている発明は、人体のツボ箇所に貼付して使用するお灸シートである。このお灸シートにおいては、既知の天然繊維及び／又は人造繊維から成るフィルムないしシート、又、高分子材料から成るフィルムないしシートとを適宜選択して用いることが出来る支持体の一方面上に、人体への粘着可能な粘着剤層を形成し、この粘着層に粒状の活性炭が担持されてなる。前記活性炭は、粉末状の活性炭（椰子殻活性炭５０〜８０メッシュ）とポリエチレンの粉末（平均粒径約４５メッシュ）とを重量比で２対１の割合で混合し、この混合物を、直径２．５ｃｍ、深さ１．５ｍｍの円形となるように折曲加工した網体（目穴１５０メッシュ）に充填し、この一方面から多方面に向かって温度１８０℃の水蒸気を２０秒間透過させることによって直径２．５ｃｍ、厚さ１．５ｍｍに成形した粒状物である。粘着層を形成してある支持体に、前記粒状の活性炭を担持させて成るお灸シートを、人体のツボ箇所の皮膚表面に貼付して使用するものである。お灸シートを皮膚表面にしばらく貼付しておくと、粒状の活性炭の厚さが１．５ｍｍもあるので、皮膚に痒みを伴う圧痕が残り、不具合であった。
【０００８】
本発明は、このような点に鑑みてなされたものであり、その目的は、フェノール樹脂を除く炭化水素を主要構成成分とする人工高分子化合物あるいはフェノール樹脂を除く炭化水素を主要成分とする有機固形廃棄物（例えば、炭化水素を主体とする人工高分子化合物である廃タイヤ等のプラスチック製品廃棄物を裁断したチップ状裁断物）の原料を無酸素熱分解して得られる無酸素乾留熱分解物である一次の活性炭又は活性炭化物と、前記無酸素熱分解して得られる前記一次の活性炭又は活性炭化物を更に賦活化処理して得られる二次の活性炭又は活性炭化物とのうち少なくとも一種からなる活性炭又は活性炭化物を、シリコンゴムに混合して練り込んだ健康シートを提供することにある。
【課題を解決するための手段】
【０００９】
請求項１の発明の場合、フェノール樹脂を除く炭化水素を主要成分とする人工高分子化合物あるいはフェノール樹脂を除く炭化水素を主要成分とする有機固形廃棄物の無酸素乾留熱分解物である一次の炭化物と、一次の炭化物を更に賦活化処理して得られる二次の活性炭とのうち少なくとも一種からなる炭化物、活性炭又は炭化物と活性炭の混合物２０〜６０重量％を、シリコンゴム４０〜８０重量％に混ぜて練り合わせる工程と、成形型に入れて加圧する工程と、１８０℃〜２００℃にて５分間の１次加熱する工程と、１８０℃にて３〜４時間の２次加熱する工程と、成形型から取り出し裁断する工程からなることを特徴とする健康シートの製造方法である。
請求項２の発明の場合、請求項１の方法により製造したことを特徴とする健康シートである。
【発明の効果】
【００１０】
本発明の健康シートに含まれる一次又は二次、あるいは一次と二次の混合物の何れかの活性炭又は活性炭化物において、炭素の純度は、竹炭や稲藁活性炭の炭素の純度よりかなり高い（炭素の純度は９０．０％以上である）。即ち、この一次又は二次、あるいは一次と二次の混合物の何れかの炭化物、活性炭又は炭化物と活性炭の混合物は、陽イオンの吸着能力が極めて強いため、この健康シートの周囲は相対的に陰イオン（いわゆるマイナスイオンとも言う）が多い状態となる。この健康シートは、表面のゴム硬度が軟らかくて柔軟性があり、身体に違和感なく馴染みやすくて良い感触の健康シートである。そして、この健康シートを身体に接触したり装着して使用することにより、生体の細胞を活性化し自律神経や内分泌機能を調整して人体の精神安定、免疫力向上、疲労軽減などの効果（マイナスイオン効果）を受けることが可能である。更に、この一次又は二次、あるいは一次と二次の混合物の何れかの活性炭又は活性炭化物は、遠赤外線放射作用があるために、この健康シートを身体に接触したり装着して使用することにより、皮膚温度が上昇し、血行が良くなり筋肉の凝りや痛みや疲れを解消ないし抑えたり、即ち、疲労の回復や筋肉痛や神経痛を解消したり抑制するなどの効果を奏する。
【図面の簡単な説明】
【００１１】
【図１】本発明に係る、実施例１の健康シート本体の正面図である。
【図２】本発明に係る、実施例２の健康シートを含む座布団の正面図である。
【図３】本発明に係る、実施例３の健康シートを含むシーツの正面図である。
【図４】図４（ａ）は本発明に係る、実施例４の健康シート本体の正面図であり、図４（ｂ）は側面図である。
【図５】図５（ａ）は本発明に係る、実施例５の健康シートの正面図であり、図５（ｂ）は側面図である。
【図６】健康シート使用前の、６２歳女性の手の甲のサーモグラフである。
【図７】実施例５の健康シート使用後４４秒経過の、６２歳女性の手の甲のサーモグラフである。
【図８】実施例５の健康シート使用後１０分経過の、６２歳女性の手の甲のサーモグラフである。
【発明を実施するための形態】
【００１２】
以下、本発明を実施例に基づき詳細に説明するが、本発明はこれに限定されるものではない。
【実施例１】
【００１３】
請求項１の発明の場合、図１は、本発明に係る実施例１の健康シート１の正面図である。図１を参照して、フェノール樹脂を除いた炭化水素を主要成分とする人工高分子化合物あるいはフェノール樹脂を除く炭化水素を主要成分とする有機固形廃棄物の無酸素乾留熱分解物である一次の活性炭又は活性炭化物と、一次の炭化物を更に賦活化処理して得られる二次の活性炭とのうち少なくとも一種からなる炭化物、活性炭又は炭化物と活性炭の混合物４０重量％を、シリコンゴム６０重量％に混ぜて練り合わせる工程と、成形型に入れて厚さ０．４ｍｍ〜０．６ｍｍ望ましくは０．５ｍｍに加圧する工程と、１８０℃〜２００℃にて５分間の１次加熱する工程と、１８０℃にて３〜４時間の２次加熱する工程と、成形型から取り出し輪郭２を整え切断し（ここでは長方形であるが動物の形や花の形等種々の形が考えられる。）、更に、複数の丸孔３を打ち抜く裁断工程からなることを特徴とする健康シート１である。
【００１４】
本発明の健康シート１に含まれる一次又は二次、あるいは一次と二次の混合物の何れかの活性炭又は活性炭化物において、炭素の純度は、竹炭や稲藁活性炭の炭素の純度よりかなり高い（炭素の純度は９４．４％である）。即ち、この一次又は二次、あるいは一次と二次の混合物の何れかの炭化物、活性炭又は炭化物と活性炭の混合物は、陽イオンの吸着能力が極めて強いため、この健康シート１の周囲は相対的に陰イオン（いわゆるマイナスイオンとも言う）が多い状態となる。この健康シート１は、表面のゴム硬度が軟らかくて柔軟性があり、身体に違和感なく馴染みやすくて良い感触の健康シート１である。そして、この健康シート１を身体に接触したり装着して使用することにより、生体の細胞を活性化し自律神経や内分泌機能を調整して人体の精神安定、免疫力向上、疲労軽減などの効果（マイナスイオン効果）を受けることが可能である。更に、この一次又は二次、あるいは一次と二次の混合物の何れかの炭化物、活性炭又は炭化物と活性炭の混合物は、遠赤外線放射作用があるために、この健康シート１を身体に接触したり装着して使用することにより、皮膚温度が上昇し、血行が良くなり筋肉の凝りや痛みや疲れを解消ないし抑えたり、即ち、疲労の回復や筋肉痛や神経痛を解消したり抑制するなどの効果を奏する。
【実施例２】
【００１５】
図２は、本発明に係る、実施例２の健康シート１を含む座布団１０の正面図である。布団カバー１１を構成する布地の内側に接着剤にて健康シート１を（ここでは９枚）を貼付してある。座布団１０においては、前記健康シート１と同様な効果を有すると共に、図示してないが、座布団カバー１１の一側端部に設けてあるファスナーを開くことにより、布団カバー１１を取り外して、洗濯が可能である。特に車椅子用の座布団カバー１１においては、洗濯して清潔な座布団カバー１１を着用した座布団が使えて使用者が気持ち良く車椅子を使用できて便利である。
【実施例３】
【００１６】
図３は本発明に係る、実施例３の健康シート１を含むシーツ１５の正面図である。１面側に熱溶着用の接着剤が塗布してある一方の布（第１の布帛）１６と１面側に熱溶着用の接着剤が塗布してある他方の布（第２の布帛）１７とを、互いに熱溶着用の接着剤面側を対向させて、間に健康シート１（ここでは２５枚）を挟持するように配置して、アイロンをかけて、一方の布（第１の布帛）１６と他方の布（第２の布帛）１７とを重ね合わせて接着してシーツ１５が仕上がっている。このシーツ１５は、健康シート１と同様な効果を有すると共に、このままの状態で洗濯できて便利である。
【実施例４】
【００１７】
図４（ａ）は本発明に係る、実施例４の健康シート４の正面図であり、図４（ｂ）は健康シート４の側面図である。この粒状の健康シート４は、図１の丸穴３を、プレス機にて丸穴３を開けた際の打ち抜き部材を利用するものである。
【実施例５】
【００１８】
図５（ａ）は本発明に係る、実施例５の貼付形健康シート２０の正面図であり、図５（ｂ）は、その側面図である。この貼付形健康シート２０においては、既知の天然繊維及び／又は人造繊維から成るフィルムないしシート、又、高分子材料から成るフィルムないしシートとを適宜選択して用いることが出来る支持体２１の一方面上に、人体への粘着可能な粘着剤層２１ａを形成し、この粘着層２１ａに粒状の健康シート４が担持されてなる。
【００１９】
この貼付形健康シート２０を人体に貼付して使用すると、本発明の貼付形健康シート２０に含まれる一次又は二次、あるいは一次と二次の混合物の何れかの炭化物、活性炭又は炭化物と活性炭の混合物において、炭素の純度は、竹炭や稲藁活性炭の炭素の純度よりかなり高い（炭素の純度は９０．０％以上である）。即ち、この一次又は二次、あるいは一次と二次の混合物の何れかの炭化物、活性炭又は炭化物と活性炭の混合物は、陽イオンの吸着能力が極めて強いため、この貼付形健康シート２０の周囲は相対的に陰イオン（いわゆるマイナスイオンとも言う）が多い状態となる。この貼付形健康シート２０は、表面のゴム硬度が軟らかくて柔軟性があり、身体に違和感なく馴染みやすくて良い感触の貼付形健康シート２０である。そして、この貼付形健康シート２０を身体に接触したり装着して使用することにより、生体の細胞を活性化し自律神経や内分泌機能を調整して人体の精神安定、免疫力向上、疲労軽減などの効果（マイナスイオン効果）を受けることが可能である。更に、この一次又は二次、あるいは一次と二次の混合物の何れかの炭化物、活性炭又は炭化物と活性炭の混合物は、遠赤外線放射作用があるために、この貼付形健康シート２０を身体に接触したり装着して使用することにより、皮膚温度が上昇し、血行が良くなり筋肉の凝りや痛みや疲れを解消ないし抑えたり、即ち、疲労の回復や筋肉痛や神経痛を解消したり抑制するなどの効果を奏する。
【００２０】
（実験１）図６は６２歳の女性、左手の甲、リュウマチにより手指関節に変形あり、実施例５の貼付形健康シート２０を小指先と薬指にそれぞれ貼着けた。その時、小指の先の温度は２０．８３℃、薬指の先の温度は１８．８３℃であった。
図７は図６の女性において、実施例５の貼付形健康シート２０を小指先と薬指にそれぞれ貼着けてから、４４秒経過後の小指の先の温度は２１．８９℃、薬指の先の温度は１９．６１℃であった。
図８は図６の女性において、実施例５の貼付形健康シート２０を小指先と薬指にそれぞれ貼着けてから、１０分経過後の小指の先の温度は２７．３３℃、薬指の先の温度は２８．２２℃であった。
小指２２で６．５℃温度上昇し、薬指２３で８．６１℃上昇した。実施例５の貼付形健康シート２０の効果が確認できた。
【産業上の利用可能性】
【００２１】
本発明の健康シートは、医療用の寝具や、座布団は車椅子等の福祉用座布団や、下着類メーカ等に幅広く貢献できる。
【符号の説明】
【００２２】
１      健康シート
２      輪郭
３      丸孔
４      粒状の健康シート
１０      座布団
１１      座布団カバー
１５      シーツ
１６      第１の布帛
１７      第２の布帛
２０      貼付形健康シート
２１      支持体
２１ａ    粘着剤層
２２      小指
２３      薬指
【図１】
2010187778.tif 000003
【図２】
2010187778.tif 000004
【図３】
2010187778.tif 000005
【図４】
2010187778.tif 000006
【図５】
2010187778.tif 000007
【図６】
2010187778.tif 000008
【図７】
2010187778.tif 000009
【図８】
2010187778.tif 000010